(57)【要約】      （修正有）【課題】幼稚園へ配送したものをそのまま園児に配膳することができ、料理の盛り付けを崩すことなく、安定性をもって配送することができると共に、料理に手作りの温かみが感じられ、園児が家庭の雰囲気で給食を食べることができる給食運搬用具を提供する。【解決手段】給食運搬用具１は、複数の料理収容部に区画された平面視略方形のプレート状の容器本体２と蓋体３とからなる。容器本体２は開口部に外方へ水平方向に延出するフランジ部２０を備える。蓋体３は開口部を覆う天板３０と天板３０の外周縁から下方へ延出する外周壁３１とを備える。天板３０の上面にはその上に容器本体２を積み重ねたときに容器本体２の底部と嵌合する凹部３４が設けられ、外周壁３１の下端には容器本体２との嵌合時にフランジ部２０の上面に着座する鍔部３２と、鍔部３２の外周縁から下方へ延出しフランジ部２０の外側面に当接する垂下壁３３とが設けられている。【選択図】図６
0003187347.tif 000002
【実用新案登録請求の範囲】
【請求項１】
上方に開口部を有し、内部空間が仕切り壁により複数の料理収容部に区画された平面視略方形のプレート状の容器本体と、この容器本体に着脱自在に嵌合する蓋体とからなる給食運搬用具であって、
前記容器本体は、前記開口部に外方へ水平方向に延出するフランジ部を備え、
前記蓋体は、前記開口部を覆う天板と、この天板の外周縁から下方へ延出する外周壁とを備え、
前記天板の上面には、その上に前記容器本体を積み重ねたときに前記容器本体の底部を嵌合してその横ずれを阻止する凹部が設けられ、
前記外周壁の下端には、前記容器本体との嵌合時に前記フランジ部の上面に着座する鍔部と、前記鍔部の外周縁から下方へ延出し、前記容器本体との嵌合時に前記フランジ部の外側面に当接する垂下壁とが設けられた
ことを特徴とする給食運搬用具。
【考案の詳細な説明】
【技術分野】
【０００１】
本考案は、主に、幼稚園への給食の配食サービスに用いられる給食運搬用具に関するものである。
【背景技術】
【０００２】
従来、幼稚園への給食の配食サービスは、主食（米飯、パン、めん類など）を収容した深底の容器と副食（主食のおかず）を収容した深底の容器とからなる弁当箱を幼稚園へ配送し、それをそのまま園児に配膳することにより行われていた。
【０００３】
しかし、このような深底の容器からなる弁当箱を用いる給食は、料理に手作りの温かみが感じられず、園児が家庭の雰囲気で給食を食べることができないものであった。
【０００４】
ところで、従来、給食の配食サービスに用いる弁当箱の場合、その蓋はシート状に形成したものを用いるのが一般であった。
【考案の概要】
【考案が解決しようとする課題】
【０００５】
しかし、シート状の蓋をかぶせたときに料理を押し付けてしまわないためには容器は深底なものを採用せざるを得ないが、容器が深底だと手前側の側壁が障害となり、園児は料理をつかむのに苦労して楽しく給食を食べることができないという問題があった。また、容器が深底だと容器の底隅部の洗浄が困難となり時間がかかるという問題もあった。
【０００６】
本考案が解決しようとする課題は、幼稚園へ配送したものをそのまま園児に配膳することができる給食運搬用具であって、料理の盛り付けを崩すことなく、安定性をもって配送することができると共に、料理に手作りの温かみが感じられ、園児が家庭の雰囲気で給食を食べることができる給食運搬用具を提供することにある。
【課題を解決するための手段】
【０００７】
前記課題を解決するため、本考案の給食運搬用具は、上方に開口部を有し、内部空間が仕切り壁により複数の料理収容部に区画された平面視略方形のプレート状の容器本体と、この容器本体に着脱自在に嵌合する蓋体とからなり、前記容器本体は、前記開口部に外方へ水平方向に延出するフランジ部を備え、前記蓋体は、前記開口部を覆う天板と、この天板の外周縁から下方へ延出する外周壁とを備え、前記天板の上面には、その上に前記容器本体を積み重ねたときに前記容器本体の底部を嵌合してその横ずれを阻止する凹部が設けられ、前記外周壁の下端には、前記容器本体との嵌合時に前記フランジ部の上面に着座する鍔部と、前記鍔部の外周縁から下方へ延出し、前記容器本体との嵌合時に前記フランジ部の外側面に当接する垂下壁とが設けられたことを特徴とするものである。
【考案の効果】
【０００８】
本考案の給食運搬用具によれば、幼稚園へ配送したものをそのまま園児に配膳することができ、しかも、料理の盛り付けを崩すことなく、安定性をもって配送することができると共に、料理に手作りの温かみが感じられ、園児が家庭の雰囲気で給食を食べることができる。
【図面の簡単な説明】
【０００９】
【図１】本考案の給食運搬用具であって、プレート状の容器本体から蓋体を取り外した状態を示す正面図である。
【図２】本考案の実施の形態に係るプレート状の容器本体の平面図である。
【図３】図２のＸ−Ｘ断面を示す断面図である。
【図４】本考案の実施の形態に係る蓋体の平面図である。
【図５】図４のＹ−Ｙ断面を示す断面図である。
【図６】本考案の実施の形態に係る給食運搬用具であって、プレート状の容器本体に蓋体をかぶせた状態を示す要部切断断面図である。
【考案を実施するための形態】
【００１０】
以下、本考案の給食運搬用具の実施形態について、図面に基づいて具体的に説明する。
【００１１】
図１は本考案の実施の形態に係る給食運搬用具であって、プレート状の容器本体から蓋体を取り外した状態を示す正面図である。
【００１２】
本考案の給食運搬用具１は、料理を盛り付けるプレート状の容器本体２と、容器本体２に着脱自在に嵌合する蓋体３とからなる。容器本体２と蓋体３の嵌合についての詳細は後述する。
【００１３】
図２及び図４は本考案の実施の形態に係る容器本体２と蓋体３の平面図であり、図３は図２のＸ−Ｘ断面を、図５は図４のＹ−Ｙ断面を示す断面図である。
【００１４】
容器本体２は、平面形状が四隅を円弧状とした１６０×１９０ｍｍの方形状とされ、深さは２０ｍｍであり、浅底のプレート状を呈している。蓋体３は、平面形状が容器本体２と略相似形の１７０×２００ｍｍの方形状とされ、深さは２６ｍｍである。上記の寸法は、園児にとって適当な量の給食を収納するために好適なものとして選択したものであり、介護施設や病院など他の施設への配食サービスに用いる場合には、喫食者にとって適当な給食の量を決定して、それに合わせて適宜寸法を調整すればよい。
【００１５】
容器本体２は、プレート状であって開口部の外周に水平方向に延びるフランジ部２０を備えている。フランジ部２０は、蓋体３との嵌合手段を構成すると共に、給食運搬用具１の把持手段としての役割も担うものである。したがって、フランジ部２０の張り出し部の寸法は、これらの手段を全うするために好適なものを選択すればよい。本実施例では１１ｍｍとしている。
【００１６】
容器本体２の内部空間は、料理同士が混ざり合わないように、仕切り壁２１により複数個（図では３個）の料理収容部２２に区画されている。これにより、盛り付けの外観を損なうことなく、複数の料理を１枚の容器本体２に収容することができる。
【００１７】
容器本体２の底部は、仕切り壁２１の部分が隆起している点を除いては平坦に形成され、料理収容部２２は、底面が緩やかな稜線状の皿形状を形成している。これにより、園児は料理をつかむのに苦労するということはなくなり、楽しく給食を食べることができる。また、容器本体２は浅底のプレート状であるため、底面に付着したよごれを落とすのは容易であり、洗浄に時間がかからない。
【００１８】
蓋体３は、容器本体２の開口部と略同一形状に形成された天板３０と、天板３０の外周縁から下方へ延出する外周壁３１とを備え、外周壁３１の下端には鍔部３２と垂下壁３３とが設けられている。外周壁３１は、垂直面に対し傾斜角１０°でやや外向きに延出している。
【００１９】
天板３０の上面には、その上に容器本体２を積み重ねたときに容器本体２の底部を嵌合する凹部３４が設けられている。これにより、給食運搬用具１を積み重ねて運搬する際に高く積み上げても横ずれが起こりにくく、安定性を維持することができる。
【００２０】
また、給食運搬用具１を積み重ねたときの安定性をより高めるために、容器本体２の底部に凹部３４との嵌合に適した突状部２３をさらに設けることができる。
【００２１】
図６は本考案の実施の形態に係る給食運搬用具１であって、容器本体２に蓋体３をかぶせた状態を示す要部切断断面図である。
【００２２】
鍔部３２と垂下壁３３は、フランジ部２０と共に容器本体２と蓋体３の嵌合手段を構成する。即ち、容器本体２への蓋体３の閉蓋は、真上から、垂下壁３３がフランジ部２０の外側面に当接するように、鍔部３２をフランジ部２０の上面に着座させることにより行う。これにより閉蓋姿勢が完成し、互いの水平方向への移動が阻止される。
【００２３】
また、閉蓋状態をより強固に維持するために、垂下壁３３の下端縁の全部又は一部に、フランジ部２０の下面に当接する係止部（図示せず）を設けてもよい。
【００２４】
さらに、料理の盛り付け前において、容器本体２のみを積み重ねて運搬する際の便宜のため、フランジ部２０の下面の任意の箇所に突状片２４を設けることができ、蓋体３のみを積み重ねて運搬する際の便宜のため、外周壁３１の外側面上の任意の箇所に突状壁３５を設けることができる。
【００２５】
給食運搬用具１は平面視略方形状に形成されているため、平面視略円形状に形成されたものと比較して、配送用トレー等に並べてまとめて大量に運搬する際にデッドスペースが生じにくく、運搬効率は良くなる。また、この際に隣接する給食運搬用具１は互いに面接触ないし辺接触しているため、点接触しかしていない平面視略円形状に形成されたものと比較して横ずれが起こりにくく、安定性も良くなる。
【００２６】
給食運搬用具１は、蓋体３が略垂直方向に立設する外周壁３１を備えることにより、従来のシート状の蓋を用いる容器と比較して、蓋体３の高さ分だけ容器本体２の高さを低く抑えても十分な料理収容空間を確保することができる。これにより、園児の給食の食べ易さや洗浄の容易を追求しつつ十分な料理収容空間を確保することができ、献立のバリエーションが広がる。給食運搬用具１を用いる給食は料理に手作りの温かみが感じられ、園児は家庭の雰囲気で給食を食べることができる。
【符号の説明】
【００２７】
１    給食運搬用具
２    容器本体
３    蓋体
２０    フランジ部
２１    仕切り壁
２２    料理収容部
２３    突状部
２４    突状片
３０    天板
３１    外周壁
３２    鍔部
３３    垂下壁
３４    凹部
３５    突状壁
【図１】
0003187347.tif 000003
【図２】
0003187347.tif 000004
【図３】
0003187347.tif 000005
【図４】
0003187347.tif 000006
【図５】
0003187347.tif 000007
【図６】
0003187347.tif 000008